(57)【要約】【課題】保守点検作業が容易であり、特に、蛍光灯等の照明体の交換作業を容易に実施することができるエレベータのかご照明装置を得る。【解決手段】エレベータのかご室天井部に設けられた照明支持体と、この照明支持体に収納支持された照明体とを備え、照明支持体の上部に第一開口部を形成して、この照明支持体をかご室天井部に対して反転自在に支持することにより、照明板を取り外すことなく、かご室内からの保守作業、特に蛍光灯等の照明体の交換を可能にする。【選択図】図１
2007137611.tif 000002
【特許請求の範囲】
【請求項１】
エレベータのかご室天井部に設けられた照明支持体と、
この照明支持体に収納支持された照明体と、
を備え、
前記照明支持体は、その上部に第一開口部が形成されるとともに、前記かご室天井部に対して反転自在に支持されたことを特徴とするエレベータのかご照明装置。
【請求項２】
照明支持体は、照明体の下方となるその下部に第二開口部が形成され、前記第二開口部を塞ぐように所定の透光性を有する照明板が設けられたことを特徴とする請求項１に記載のエレベータのかご照明装置。
【請求項３】
照明体は、照明支持体の上部に形成された第一開口部を開閉する蓋の内側に設けられたことを特徴とする請求項１又は請求項２に記載のエレベータのかご照明装置。
【請求項４】
照明体は、少なくともその一部が、照明支持体の上部に形成された第一開口部から上方に突出することを特徴とする請求項１又は請求項２に記載のエレベータのかご照明装置。
【請求項５】
かご室天井部に水平に設けられた回動軸によって照明支持体が回動自在に支持されるとともに、所定位置での前記照明支持体の回動を規制する規制手段が備えられたことを特徴とする請求項１から請求項４の何れかに記載のエレベータのかご照明装置。
【請求項６】
回動軸は、照明支持体の端部中央に設けられたことを特徴とする請求項５に記載のエレベータのかご照明装置。
【請求項７】
エレベータのかご室天井部に一端部が設けられたリンク機構と、
このリンク機構の他端部に設けられ、上下方向に移動自在な照明支持体と、
この照明支持体に収納支持された照明体と、
を備え、
前記照明支持体は、その上部に第一開口部が形成されるとともに、前記リンク機構に対して反転自在に支持されたことを特徴とするエレベータのかご室照明装置。
【請求項８】
かご室天井部及び照明支持体間に設けられ、前記照明支持体を上方に付勢する付勢体と、
前記かご室天井部に設けられ、所定の高さより上方への前記照明支持体の移動を規制するガイド部と、
を備えたことを特徴とする請求項７に記載のエレベータのかご照明装置。
【発明の詳細な説明】
【技術分野】
【０００１】
この発明は、エレベータのかご室内を照らすかご照明装置に関するものである。
【背景技術】
【０００２】
エレベータのかご室天井部に設けられた従来のかご照明装置には、蛍光灯等の照明体の下方に設けられた照明板を所定距離上方に持ち上げた後、左右どちらか一方に水平に回転させることにより、上記照明板の係合状態を解除して、保守・点検作業に必要な開口部をかご照明装置の下部に形成することができるようにしたものが提案されている（例えば、特許文献１参照）。
【０００３】
また、エレベータのかごに関する従来技術として、かご照明装置をかご室天井部に設けられた救出口の直下部に配置することにより、常時にかご室内の乗客が救出口を見ることができないように構成するとともに、かご照明装置の一端をヒンジによって天井部に回動自在に取り付けることにより、要時にかご照明装置の他端を下方に回転させて、救出口を大きく開放することができるようにしたものが提案されている（例えば、特許文献２参照）。
【０００４】
【特許文献１】特開２００１−３３５２６３号公報
【特許文献２】特開平７−２２８４４１号公報
【発明の開示】
【発明が解決しようとする課題】
【０００５】
特許文献１記載のエレベータのかご照明装置では、エレベータの保守・点検作業時に蛍光灯の交換を行う場合、保守作業員は、かご室内に持ち込んだ脚立の上に乗って照明板を上記方法によって取り外し、この取り外した照明板をかご室の側壁に立て掛ける等してから、再度脚立の上で蛍光灯の取り外し及び取り付けを行わなければならなかった。また、蛍光灯の交換作業が終了した場合には、一度脚立から降りて照明板を持ち、再度脚立の上に乗ってこの照明板の取り付けを行わなければならなかった。このため、蛍光灯の交換の際に照明板の取り付け及び取り外し、脚立への昇り降り等、時間と手間とを要し作業性が悪いという問題があった。
【０００６】
また、かご装置の下部に形成される保守作業のための開口部の大きさが照明板の大きさに制限されてしまうため、蛍光灯の出し入れ等が不便であるとともに、照明板の取り付け及び取り外しの際に、照明板の意匠面に傷を付けてしまう恐れもあった。
【０００７】
一方、特許文献２記載のものは、エレベータのかごに設けられた救出口に関するものであり、本発明とはその構成を全く異にするものである。なお、特許文献２記載のエレベータのかご照明装置では、エレベータの保守・点検時に蛍光灯の交換を行う場合、特許文献１記載のものと同様に、照明板の取り付け及び取り外しや、脚立への昇り降り等が必要であり、作業性が悪いという問題が生じていた。
【０００８】
この発明は、上述のような課題を解決するためになされたもので、その目的は、保守点検作業が容易であり、特に、蛍光灯等の照明体の交換作業を容易に実施することができるエレベータのかご照明装置を提供することである。
【課題を解決するための手段】
【０００９】
この発明に係るエレベータのかご照明装置は、エレベータのかご室天井部に設けられた照明支持体と、この照明支持体に収納支持された照明体と、を備え、照明支持体は、その上部に第一開口部が形成されるとともに、かご室天井部に対して反転自在に支持されたものである。
【発明の効果】
【００１０】
この発明は、エレベータのかご室天井部に設けられた照明支持体と、この照明支持体に収納支持された照明体と、を備え、照明支持体は、その上部に第一開口部が形成されるとともに、かご室天井部に対して反転自在に支持される構成としたことで、保守点検作業が容易であり、特に、蛍光灯等の照明体の交換作業を容易に実施することができる。
【発明を実施するための最良の形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１はこの発明の実施の形態１におけるエレベータのかご照明装置の斜視図であり、かご室内から天井部を見上げた状態を示したものである。また、図２は図１に示すエレベータのかご照明装置のＡ矢視図、図３は図２に示すエレベータのかご照明装置のＢ−Ｂ断面図である。
【００１３】
図１乃至図３において、１はエレベータのかごの前側に形成されたかご出入口、２はかご出入口１の側方に設けられた袖壁を形成する前側壁板、３は前側壁板２に設けられ、かご室内の乗客が行先階等を登録するかご操作盤、４はかご室の両側の側壁を形成する側壁板、５はかご室天井部に水平に設けられ、その下面がかご室天井面を形成する天蓋板、６は上端部が天蓋板５に、また、下端部がかご出入口１を形成する上枠１ａに設けられ、両側壁板４間に渡ってかご出入口１の上方に配置されることにより、かご室天井部の前側壁を形成する天井部前側壁板、７は上端部が天蓋板５に、また、下端部がかご室の奥側の側壁を形成する後側壁板８に設けられ、両側壁板４間に渡って配置されることにより、かご室天井部の後側壁を形成する天井部後側壁板、９は天井部前側壁板６及び天井部後側壁板７間に渡って回動自在に設けられた、かご室内を照らす照明装置である。
【００１４】
次に、かご室天井部に設けられた上記照明装置９の構成について説明する。
円形蛍光灯１０等からなる照明体を内部に収納支持する照明ボックス１１（照明支持体）は、かご室天井部の中央部前後間に渡って配置されている。この照明ボックス１１は、その前側端部が天井部前側壁板６の側面に、後側端部が天井部後側壁板７の側面に所定の間隙を有してそれぞれ対向するように配置され、かご室の前後水平方向に略一直線状に軸方向を有する回動軸１２ａ及び１２ｂを介して、天井部前側壁板６及び天井部後側壁板７間に回動自在に支持されている。なお、照明ボックス１１の回動範囲を最小限に抑えるため、上記回動軸１２ａは照明ボックス１１の前側端部のほぼ中央に、また、回動軸１２ｂは照明ボックス１１の後側端部のほぼ中央にそれぞれ配置されている。
【００１５】
ここで、上記照明ボックス１１は略直方体の箱状を呈しており、その下面全体及び上面全体に渡って、それぞれ開口部が形成されている。照明ボックス１１の下面に形成された開口部（第二開口部）は、照明ボックス１１の内側から固定された所定の透光性を有する（例えば、乳白色の）照明板１３によって塞がれており、かご室内の乗客が照明装置９の内部を見ることができないように構成されている。一方、照明ボックス１１の上面に形成された開口部（第一開口部；以下、「点検口」という）は、ヒンジ１４によって開閉自在に構成された点検口蓋１５により塞がれている。なお、上記円形蛍光灯１０は、取付部材（図示せず）を介して、点検口蓋１５の下面に取り付けられるとともに、照明ボックス１１の下面に形成された開口部の直上部に配置されている。
【００１６】
また、図４は図２に示すエレベータのかご照明装置のＣ−Ｃ断面図、図５はこの発明の実施の形態１におけるストッパー受金を示す斜視図である。なお、図４は、回動軸１２ａ及び１２ｂを中心として照明装置９を所定角度回転させた状態、及び、１８０度回転して反転させた状態を示したものである。図４及び図５において、１６は天井部前側壁板６の裏面から突出する回動軸１２ａの先端部に、回動軸１２ａの外周面から突出するように設けられた先端が球面形状を呈するストッパー、１７は天井部前側壁板６の裏面に設けられ、ストッパー１６に係合することによって回動軸１２ａの回動を所定位置で規制するストッパー受金である。なお、ストッパー１６及びストッパー受金１７により、所定位置での照明支持体の回動を規制する規制手段が構成される。
【００１７】
ここで、上記ストッパー受金１７は、略Ｌ字状を呈しており、回動軸１２ａの両側に配置されている。そして、回動軸１２ａの外周面に対向するストッパー受金１７の一側部に、ストッパー１６が係合する係合溝１７ａが形成されている。また、係合溝１７ａが形成されたストッパー受金１７の一側部は、その下端部が、天井部前側壁板６の裏面に固定された他側部に弾性支持されており、上端部が回動軸１２ａから離れる方向に弾性変形可能に構成されている。なお、天井部後側壁板７の裏面から突出する回動軸１２ｂの先端部にもストッパー１６が設けられており、上記と同様の構成を有するストッパー受金１７が天井部後側壁板７の裏面に設けられている。
【００１８】
かかる構成を有する照明装置９の円形蛍光灯１０を交換する場合、エレベータ保守作業員は、先ず、かご室内において、照明装置９の下方から照明ボックス１１の一側部を上方に押し上げ、回動軸１２ａ及び１２ｂを中心に、照明装置９を一方向に回転させる。なお、図１乃至図４に示す照明装置９においては、通常時、回動軸１２ａ及び１２ｂのストッパー１６はかご出入口１側から見て右側のストッパー受金１７の係合溝１７ａに係合されており、照明板１３が下面に配置された状態で照明装置９の回動が規制されている。そして、保守作業員が照明ボックス１１の右側部をかご室内から所定の力で上方に押し上げることにより、ストッパー１６が、係合しているストッパー受金１７一側部の上端部を外側に押し広げ、ストッパー１６及び係合溝１７ａの係合状態が解除される。
【００１９】
ストッパー１６と右側のストッパー受金１７との係合状態が解除された後、保守作業員は、照明装置９を反時計回りに１８０度回転させて、ストッパー１６を左側のストッパー受金１７の係合溝１７ａに係合させることにより、照明装置９の回動を規制する。かかる状態では、照明装置９は、通常時の状態から反転されており、照明板１３が照明装置９の上面に、点検口蓋１５が照明装置９の下面にそれぞれ配置される。その後、保守作業員は、点検口蓋１５の一側部を下方に移動させることにより、ヒンジ１４を中心に点検口蓋１５を開放する。そして、点検口蓋１５とともに下方に移動した円形蛍光灯１０の交換作業を実施する。なお、図６はこの発明の実施の形態１におけるエレベータのかご照明装置の動作を示す図であり、照明装置９を反転させた後に、点検口蓋１５を開放した状態を示している。このように、円形蛍光灯１０を点検口蓋１５の内側に設けることにより、保守作業時に円形蛍光灯１０を照明ボックス１１よりもさらに下方に移動させて、交換作業を実施することが可能となる。
【００２０】
なお、円形蛍光灯１０の交換作業の終了後、保守作業員は、上記と逆の手順により照明装置９を元の状態に戻すことができる。即ち、点検口蓋１５を閉じた後、照明装置９の下方から照明ボックス１１の左側部を上方に押し上げ、ストッパー１６と左側のストッパー受金１７の係合溝１７ａとの係合状態を解除する。そして、回動軸１２ａ及び１２ｂを中心に、照明装置９を時計回りに１８０度回転させ、ストッパー１６と右側のストッパー受金１７の係合溝１７ａとを係合させて、照明装置９の回動を規制する。
【００２１】
この発明の実施の形態１によれば、円形蛍光灯１０を収納支持する照明ボックス１１がかご室天井部に対して反転自在に支持されているとともに、その上部に点検口が形成されているため、通常時に照明装置９の上部に形成されている点検口を保守作業時のみ照明装置９の下部に配置することができ、保守作業、特に、円形蛍光灯１０の交換作業を容易化して作業に要する時間を短縮することができる。
【００２２】
また、上記点検口が、通常時にかご室内の乗客が見ることのできない照明ボックス１１の上面に形成されているため、点検口の形状及び配置やヒンジ１４の存在等によって、照明装置９の意匠性に影響を与える恐れはない。したがって、保守作業性を向上させるために点検口を可能な限り大きく形成したり、安価なヒンジ１４を使用して照明ボックス１１の外側に突出するように配置したりすることもできる。
【００２３】
なお、保守作業時に照明板１３の取り付け及び取り外しが不要であるため、従来のように照明板１３を下方から着脱自在に構成する必要もなく、構造を簡素化することが可能である。また、円形蛍光灯１０の交換時に誤って照明板１３に傷を付けてしまう恐れもない。さらに、照明板１３の取り付け及び取り外しの際に必要であった脚立への昇り降りも必然的に不要となり、作業性が大幅に向上する。
【００２４】
また、照明装置９は、規制手段により回動が規制されて、通常時及び保守作業時の双方で一定の姿勢を保持することができるため、通常時に振動によって照明装置９が傾いたり、保守作業時に照明ボックス１１が傾いたりする恐れもない。
【００２５】
実施の形態２．
図７はこの発明の実施の形態２におけるエレベータのかご照明装置の図３相当図、図８はこの発明の実施の形態２におけるエレベータのかご照明装置の動作を示す図である。図７及び図８において、１８は照明ボックス１１の上部下面に設けられた直管蛍光灯である。このように、照明体として直管蛍光灯１８を使用することにより、照明ボックス１１上部の僅かな折り返し部を利用して照明体を取り付けることが可能となるため、実施の形態１のように照明体を取り付けるための点検口蓋１５を設ける必要も無く、保守作業をより効率的に実施することが可能となる。また、点検口蓋１５が不要となるため、照明装置９の軽量化を図ることもできる。なお、その他は実施の形態１と同様の構成及び効果を奏する。
【００２６】
実施の形態３．
図９はこの発明の実施の形態３におけるエレベータのかご照明装置の図３相当図、図１０はこの発明の実施の形態３におけるエレベータのかご照明装置の動作を示す図である。図９及び図１０において、照明ボックス１９の下部上面には、照明板１３の前側及び後側に、直管蛍光灯１８の両端部を支持する支持部２０が設けられている。そして、この支持部２０に両端部を支持された直管蛍光灯１８は、照明板１３を跨ぐように配置され、その一部又は全体が、照明ボックス１９の上面に形成された点検口から上方に突出するように設けられている。上記構成を有する照明装置９では、保守作業時に反転させると、直管蛍光灯１８が照明ボックス１９から下方に突出するように配置されるため、実施の形態２のように照明体の交換の際に点検口に手を差し込んで作業する必要はなく、作業性に優れる。なお、その他は、実施の形態１と同様の構成及び効果を奏する。
【００２７】
また、通常時の配置において、直管蛍光灯１８の上方に照明ボックス１９の上部が配置されていないため、照明板１３を介して直管蛍光灯１８の光をかご室内に取り込むだけでなく、照明ボックス１９の下面に開口部を形成せず、天蓋板５の下面に反射板を取り付ける等して、実施の形態１及び２とは照明効果の異なる間接照明としても使用することができる。
【００２８】
実施の形態４．
図１１はこの発明の実施の形態４におけるエレベータのかご照明装置の図３相当図、図１２はこの発明の実施の形態４におけるエレベータのかご照明装置の動作を示す図である。図１１及び図１２において、２１は照明ボックス１９（照明支持体）の前側端部及び後側端部にそれぞれ回動自在に設けられた回動軸、２２は各回動軸２１及び天蓋板５間に渡って設けられた上下方向に伸縮自在なリンク機構、２３は照明ボックス１９の前側端部及び後側端部と天蓋板５との間に設けられ、照明ボックス１９を常時上方に付勢する付勢体からなるバネ、２４は天井部前側壁板６及び天井部後側壁板７にそれぞれ設けられ、照明装置９の照明ボックス１９に係合することにより、所定の高さより上方への照明ボックス１９の移動を規制するガイド板（ガイド部）である。なお、このガイド板２４により、通常時の照明装置９の位置が決定される。
【００２９】
かかる構成を有する照明装置９の直管蛍光灯１８を交換する場合、エレベータ保守作業員は、先ず、かご室内において、手の届く高さまで照明装置９を下方に引き下げ、回動軸２１を中心に、照明ボックス１９を反転させる。かかる状態では、直管蛍光灯１８が照明装置９の下部に配置されるため、保守作業員は、かご室内で脚立を使用する必要もなく、直管蛍光灯１８の交換作業を容易に実施することができる。なお、その他は実施の形態３と同様の構成及び効果を奏する。
【図面の簡単な説明】
【００３０】
【図１】この発明の実施の形態１におけるエレベータのかご照明装置の斜視図である。
【図２】図１に示すエレベータのかご照明装置のＡ矢視図である。
【図３】図２に示すエレベータのかご照明装置のＢ−Ｂ断面図である。
【図４】図２に示すエレベータのかご照明装置のＣ−Ｃ断面図である。
【図５】この発明の実施の形態１におけるストッパー受金を示す斜視図である。
【図６】この発明の実施の形態１におけるエレベータのかご照明装置の動作を示す図である。
【図７】この発明の実施の形態２におけるエレベータのかご照明装置の図３相当図である。
【図８】この発明の実施の形態２におけるエレベータのかご照明装置の動作を示す図である。
【図９】この発明の実施の形態３におけるエレベータのかご照明装置の図３相当図である。
【図１０】この発明の実施の形態３におけるエレベータのかご照明装置の動作を示す図である。
【図１１】この発明の実施の形態４におけるエレベータのかご照明装置の図３相当図である。
【図１２】この発明の実施の形態４におけるエレベータのかご照明装置の動作を示す図である。
【符号の説明】
【００３１】
１  かご出入口
１ａ  上枠
２  前側壁板
３  かご操作盤
４  側壁板
５  天蓋板
６  天井部前側壁板
７  天井部後側壁板
８  後側壁板
９  照明装置
１０  円形蛍光灯
１１、１９  照明ボックス
１２ａ、１２ｂ、２１  回動軸
１３  照明板
１４  ヒンジ
１５  点検口蓋
１６  ストッパー
１７  ストッパー受金
１７ａ  係合溝
１８  直管蛍光灯
２０  支持部
２２  リンク機構
２３  バネ
２４  ガイド板
【図１】
2007137611.tif 000003
【図２】
2007137611.tif 000004
【図３】
2007137611.tif 000005
【図４】
2007137611.tif 000006
【図５】
2007137611.tif 000007
【図６】
2007137611.tif 000008
【図７】
2007137611.tif 000009
【図８】
2007137611.tif 000010
【図９】
2007137611.tif 000011
【図１０】
2007137611.tif 000012
【図１１】
2007137611.tif 000013
【図１２】
2007137611.tif 000014